(57)【特許請求の範囲】
【請求項１】
前方が開口した箱形状の収納箱の内部を仕切板で区画する収納箱の仕切板固定構造であって、
前記収納箱は天板と底板と一対の側板からなり、前記仕切板としての矩形状の水平板及び垂直板により四区画され、
前記水平板はその一対の側辺の近傍に備える組立用ジョイント金物を介して前記収納箱の一対の側板に設けられた組立用ジョイントピンに固定され、
前記垂直板は第1の垂直板と第２の垂直板からなり、第1の垂直板の上端部がＬ型部品と固定具を介して前記天板に固定されるとともに、第1の垂直板の下端部はこの下端部の近傍に備える一対の組立用ジョイント金物を介して前記水平板の上面に設けられた一対の組立用ジョイントピンに固定され、
第２の垂直板の上端部がこの上端部の近傍に備える一対の組立用ジョイント金物を介して前記水平板の下面に設けられた一対の組立用ジョイントピンに固定され、
前記水平板の上下面の各一対の組立用ジョイントピンは前記水平板の前方及び後方の端部近傍に設けられるとともに、この組立用ジョイントピンを除く前記水平板の中央領域に作業用開口が設けられることを特徴とする収納箱の仕切板固定構造。
【請求項２】
前方が開口した箱形状の収納箱の内部を仕切板で区画する収納箱の仕切板固定方法であって、
前記収納箱は天板と底板と一対の側板からなり、前記仕切板としての矩形状の水平板及び垂直板により四区画され、
前記水平板はその一対の側辺の近傍に備える組立用ジョイント金物を介して前記収納箱の一対の側板に設けられた組立用ジョイントピンに固定され、
前記垂直板は第1の垂直板と第２の垂直板からなり、第1の垂直板の上端部がＬ型部品と固定具を介して前記天板に固定されるとともに、第1の垂直板の下端部はこの下端部の近傍に備える一対の組立用ジョイント金物を介して前記水平板の上面に設けられた一対の組立用ジョイントピンに固定され、
第２の垂直板の上端部がこの上端部の近傍に備える一対の組立用ジョイント金物を介して前記水平板の下面に設けられた一対の組立用ジョイントピンに固定され、
前記水平板の上下面の各一対の組立用ジョイントピンは前記水平板の前方及び後方の端部近傍に設けられるとともに、この組立用ジョイントピンを除く前記水平板の中央領域に作業用開口が設けられ、
前記第1の垂直板をＬ型部品と固定具を介して前記天板に固定する際に、前記固定具としてのビス等を操作する工具が前記作業用開口を挿通して用いられることを特徴とする収納箱の仕切板固定方法。
【発明の詳細な説明】
【技術分野】
【０００１】
本発明は、収納箱の仕切板固定構造と仕切板固定方法に関し、詳しくは、戸棚などの収納家具に、仕切板としての垂直板と水平板を取付けて小区画にする際の仕切板の組付作業が容易に行なえる技術に関する。
【背景技術】
【０００２】
従来、収納家具に仕切板を取付けて小区画を形成する場合、作業者によって垂直板と水平板の仕切板を所定の取付位置にビス等によって固定する際に、組付作業が容易にできて確実に固定できる仕切板固定構造が求められていた。この問題を解決する方法が特許文献１に開示されている。図8に示すように、特許文献１の仕切板（垂直板）１は、上下に設けられた区画板（水平板）７、７間の間隔に合わせて上下寸法を決めるとともに、収納箱１５の奥行きに合わせて奥行き寸法がそれぞれ定められる。
【０００３】
そして、仕切板１の下端縁２に係止片３を備え、上端縁４に当接縁５を備え、係止片３と当接縁５はそれぞれ仕切板１から同方向に一体的に延設される。この当接縁５には、係止片３の基部３ａに対面する位置に、係止片３が挿入される係合孔６が穿設されている。さらに、区画板７には仕切板１の係止片３が対面する位置にスリット状の嵌入孔８が穿設される。
【０００４】
仕切板１を組付ける際には、嵌入孔８に仕切板１の係止片３を嵌入し垂直にする。このとき、下方の仕切板１の当接縁５に設けてある係合孔６は、対面する区画板７に設けられた嵌入孔８に重なっているので、係止片３を、これら互いに重なっている嵌入孔８と係合孔６に鎖線で示すように挿通し、仕切板１を矢印Ｐのように垂直状態にすると、仕切板１の係合孔６は、同様に対面する上方の区画板７に設けた嵌入孔８に重なる。このように、上記組付け操作を繰り返して、各区画板７間に仕切板１が組付けられる。
【０００５】
最上段の区画板７と天板１３との間に仕切板１０を設ける場合には、あらかじめ天板１３の下面に設けられたネジ孔を備える断面Ｌ状の受板１２に、仕切板１０側に設けられたネジ孔を介して固定する。このようにして、水平の各区画板７間を左右に区画することができる。同様に、区画板７間を上下に仕切ることもできる。
【特許文献１】特開平５−１８４４２９号公報
【発明の開示】
【発明が解決しようとする課題】
【０００６】
ところが、最上段の区画板（水平板）７と天板１３間が狭い浅型の小区画の場合には、天板１３下面、或いは、区画板７の上端部に断面Ｌ状の受板１２を介してネジ１１で固定する作業スペースが十分でないので作業が困難であるという問題があった。
【０００７】
そこで、本発明はかかる従来技術の問題に鑑みなされたものであって、戸棚などの収納家具に、垂直板と水平板の仕切板を取付けて小区画にする際の仕切板の組付作業が容易に行なえて作業性が向上する収納箱の仕切板固定構造と仕切板固定方法を提供することを目的とする。
【課題を解決するための手段】
【０００８】
請求項１の発明は、前方が開口した箱形状の収納箱の内部を仕切板で区画する収納箱の仕切板固定構造であって、前記収納箱は天板と底板と一対の側板からなり、前記仕切板としての矩形状の水平板及び垂直板により四区画され、前記水平板はその一対の側辺の近傍に備える組立用ジョイント金物を介して前記収納箱の一対の側板に設けられた組立用ジョイントピンに固定され、前記垂直板は第1の垂直板と第２の垂直板からなり、第1の垂直板の上端部がＬ型部品と固定具を介して前記天板に固定されるとともに、第1の垂直板の下端部はこの下端部の近傍に備える一対の組立用ジョイント金物を介して前記水平板の上面に設けられた一対の組立用ジョイントピンに固定され、第２の垂直板の上端部がこの上端部の近傍に備える一対の組立用ジョイント金物を介して前記水平板の下面に設けられた一対の組立用ジョイントピンに固定され、前記水平板の上下面の各一対の組立用ジョイントピンは前記水平板の前方及び後方の端部近傍に設けられるとともに、この組立用ジョイントピンを除く前記水平板の中央領域に作業用開口が設けられることを特徴としている。
【０００９】
請求項２の発明は、前方が開口した箱形状の収納箱の内部を仕切板で区画する収納箱の仕切板固定方法であって、前記収納箱は天板と底板と一対の側板からなり、前記仕切板としての矩形状の水平板及び垂直板により四区画され、前記水平板はその一対の側辺の近傍に備える組立用ジョイント金物を介して前記収納箱の一対の側板に設けられた組立用ジョイントピンに固定され、前記垂直板は第1の垂直板と第２の垂直板からなり、第1の垂直板の上端部がＬ型部品と固定具を介して前記天板に固定されるとともに、第1の垂直板の下端部はこの下端部の近傍に備える一対の組立用ジョイント金物を介して前記水平板の上面に設けられた一対の組立用ジョイントピンに固定され、第２の垂直板の上端部がこの上端部の近傍に備える一対の組立用ジョイント金物を介して前記水平板の下面に設けられた一対の組立用ジョイントピンに固定され、前記水平板の上下面の各一対の組立用ジョイントピンは前記水平板の前方及び後方の端部近傍に設けられるとともに、この組立用ジョイントピンを除く前記水平板の中央領域に作業用開口が設けられ、前記第1の垂直板をＬ型部品と固定具を介して前記天板に固定する際に、前記固定具としてのネジ等を操作する工具が前記作業用開口を挿通して用いられることを特徴としている。
【発明の効果】
【００１０】
請求項１記載の発明によれば、前方が開口した箱形状の収納箱の内部を仕切板で区画する収納箱の仕切板固定構造であって、前記収納箱は天板と底板と一対の側板からなり、前記仕切板としての矩形状の水平板及び垂直板により四区画され、前記水平板はその一対の側辺の近傍に備える組立用ジョイント金物を介して前記収納箱の一対の側板に設けられた組立用ジョイントピンに固定される。そして、前記垂直板は第1の垂直板と第２の垂直板からなり、第1の垂直板の上端部がＬ型部品と固定具を介して前記天板に固定されるとともに、第1の垂直板の下端部はこの下端部の近傍に備える一対の組立用ジョイント金物を介して前記水平板の上面に設けられた一対の組立用ジョイントピンに固定される。このとき、前記水平板の上下面の各一対の組立用ジョイントピンは前記水平板の前方及び後方の端部近傍に設けられるとともに、この組立用ジョイントピンを除く前記水平板の中央領域に作業用開口が設けられる。
【００１１】
このため、戸棚などの収納家具に、垂直板と水平板の仕切板を取付けて小区画にする際に、前記水平板の中央領域を利用して工具を挿通できるので、水平板に邪魔されずに第1の垂直板の上端部がＬ型部品と固定具を介して前記天板に容易に固定できるので仕切板の作業性が向上する。
【００１２】
請求項２記載の発明によれば、上記請求項１の発明の効果と同じ効果が得られる。
【発明を実施するための最良の形態】
【００１３】
＜本発明の実施形態＞
以下に、本発明の実施形態を図１〜図７に基づいて説明する。
【００１４】
＜収納箱の仕切板固定構造の構成＞
図１（ａ）、（ｂ）に示すように、本発明の実施形態における収納箱の仕切板固定構造２０は、前方と後方が開口した箱形状の収納箱２１の内部を仕切板２２で区画する収納箱の仕切板固定構造である。
【００１５】
収納箱２１は天板２３と底板２４と一対の側板２５からなり、仕切板２２としての矩形状の水平板２６及び垂直板２７により四等分に区画される。水平板２６はその一対の側辺２６ａの近傍に備える組立用ジョイント金物２８を介して収納箱２１の一対の側板２５に設けられた組立用ジョイントピン２９に固定される。
【００１６】
垂直板２７は第1の垂直板３０と第２の垂直板３１からなり、第1の垂直板３０の上端部３０ａがＬ型部品３３と固定具３４を介して天板２３に固定されるとともに、第1の垂直板３０の下端部３０ｂはこの下端部３０ｂの近傍に備える一対の組立用ジョイント金物２８を介して水平板２６の上面２６ｂに設けられた一対の組立用ジョイントピン２９に固定される。第２の垂直板３１の上端部３１ａがこの上端部３１ａの近傍に備える一対の組立用ジョイント金物２８を介して水平板２６の下面２６ｃに設けられた一対の組立用ジョイントピン２９に固定される。なお、水平板２６の上下面２６ｂ、２６ｃの組立用ジョイントピン２９は水平板２６の中心線上に設けられる。
【００１７】
水平板２６の上下面２６ｂ、２６ｃの各一対の組立用ジョイントピン２９は水平板２６の前方及び後方の端部２６ｄ、２６ｅ近傍に設けられるとともに、この組立用ジョイントピン２９を除く水平板２６の中央領域３６に作業用開口３７が設けられる。
【００１８】
そして、４等分に区画された各収納空所５０に引出し自在にスライド棚４７が取付けられる。
【００１９】
「収納箱の仕切板の組付作業順に各部詳細を説明する。」
図２（ａ）、（ｂ）、（ｃ）に示すように、最初に、水平板２６が収納箱２１に挿入される。このとき、上記のように、水平板２６はその一対の側辺２６ａの近傍に備える組立用ジョイント金物２８を介して収納箱２１の一対の側板２５に設けられた組立用ジョイントピン２９に固定される。
【００２０】
２組の組立用ジョイントピン２９は頭部２９ａと係止部２９ｂと図示しない先細ネジ部とからなり、水平板２６に対応位置に先細ネジ部が両側板２５にねじ込まれる。なお、水平板２６の位置を選べるように予め複数の下穴４０が準備されている。
【００２１】
組立用ジョイント金物２８は市販の偏芯カム内蔵式の緊結金具が用いられ、水平板２６の側辺２６ａを含む近傍で水平板２６の略下半分の領域に埋め込まれる。組立用ジョイント金物２８の下面２８ａは水平板２６の下面２６ｃレベルに合わせて露出し、下面２８ａには組立用ジョイントピン２９を嵌入する係止孔２８ｂと回転軸２８ｃが設けられる。ドライバー等によりこの回転軸２８ｃを回すことにより図示しない内蔵された偏芯カムを回転させて偏芯カムと組立用ジョイントピン２９の係止部２９ｂが緊結される。そして、化粧用のキャップ２８ｄが組立用ジョイント金物２８の下面２８ａに被せられる。
【００２２】
図３に示すように、上記、水平板２６の上下面２６ｂ、２６ｃにそれぞれ一対の組立用ジョイントピン２９が固定されるが、実施例では組立用ジョイントピン２９はダブル式である。一方の組立用ジョイントピン２９は頭部２９ａと係止部２９ｂと雄ネジ部２９ｃからなり、他方の組立用ジョイントピン２９は頭部２９ａと係止部２９ｂと雌ネジ部を備えるシャフト部２９ｄからなり、水平板２６の上下から水平板２６に設けられた孔４１にシャフト部２９ｄを挿入して水平板２６を挟んだ状態で螺合により固定される。なお、この組立用ジョイントピン２９の取付けタイミングは、水平板２６が収納箱２１に挿入される前に取付けてもよい。
【００２３】
図４に示すように、第1の垂直板３０と第２の垂直板３１は収納箱２１の水平板２６で区画された上下の区画４２、４３に挿入されるが、水平板２６の上下面２６ｂ、２６ｃに取付けられた組立用ジョイントピン２９に衝突しないように収納箱２１の中心線より右方に挿入される。このとき、第1の垂直板３０の上端部３０ａの両側面３０ｃにそれぞれ２組のＬ型部品３３が固定具３４としてのビスにより、Ｌ型部品３３の上面３３ａが第1の垂直板３０の上端部３０ａと同一面になる状態で取付けられる。
【００２４】
図５に示すように、挿入された第1の垂直板３０と第２の垂直板３１は、組立用ジョイント金物２８が組立用ジョイントピン２９に挿入する位置まで矢印の方向に平行移動させる。
【００２５】
図６に示すように、上記のように、第1の垂直板３０と第２の垂直板３１は、ドライバー等により組立用ジョイント金物２８の回転軸２８ｃを回すことにより図示しない内蔵された偏芯カムが回転して組立用ジョイントピン２９の係止部２９ｂに緊結される。
【００２６】
最後に、位置決めされた第1の垂直板３０の上端部３０ａをＬ型部品３３を介して固定具３４としてのビスによって収納箱２１の天板２３に固定する。
このとき、水平板２６には作業用開口３７が形成されているので、例えば、矢印４５のように作業用開口３７を利用して、下の区画４３から上の区画４２まで腕を挿通させ、電動又は手動のドライバー等の工具を持って自由に操作することができる。このため、作業用開口３７はできるだけ広い領域で設けることが好ましい。なお、第２の垂直板３１の下端部は底板２４に固定されないが、これは、水平板２６に荷重が掛かればその重みで下端部の位置が移動しないので特に必要がないためである。
【００２７】
図７に示すように、上記、４等分に区画された各収納空所５０に引出し自在にスライド棚４７がビス４９で取付けられる。スライドのためのレール機構４８は、詳細説明しないが、スライド棚４７側に取付ける移動側レールと収納空所の側板の内面に固定する固定側レールとで構成される。
【００２８】
＜収納箱の仕切板固定構造の作用＞
図６において、収納箱２１の高さＨが工具を何とか使用できる程度の低い状態においても、上記、ドライバー等の工具を矢印４５のように水平板２６の作業用開口３７に挿通させることができるので、水平板２６によってさらに低くなった高さＨ１の状態でも実質同じ高さＨの空間を有効的に利用することができる。さらに、作業用開口３７は水平板２６の中央領域３６のできるだけ広い領域に設けられる。
【００２９】
このため、戸棚などの収納家具に、垂直板と水平板の仕切板を取付けて小区画にする際の仕切板の組付作業が容易に行なうことができる。また、ドライバー等が略垂直の状態で使用できるので、固定具３４としてのビスに対して略同軸状に操作でき、ビス頭の溝に損傷を与えることなく確実にビスをねじ込むことができる。
【００３０】
以上、本発明の実施形態を図面に基づいて説明したが、上記の実施例はいずれも本発明の一例を示したものであり、本発明はこれらに限定されるべきでないということは言うまでもない。
【００３１】
例えば、収納箱２１は天板２３と底板２４と一対の側板２５に加えて、裏板を備える場合もある。４等分に区画された収納空所５０の上方２区画に引出し自在にスライド棚４７を取付け、下方２区画はスライド棚４７が設置されない構成でもよい。
【図面の簡単な説明】
【００３２】
【図１】本発明の実施形態における、（ａ）は、収納箱の内部が仕切板で四等分に区画された状態を示す一部透視正面図、（ｂ）は、図１（ａ）のＡ−Ａ断面図である。
【図２】本発明の実施形態における、（ａ）は、水平板を収納箱に挿入し固定する状態を示す斜視図、（ｂ）は、収納箱の側板に取付けられた組立用ジョイントピンの状態を示す斜視図、（ｃ）は水平板の側辺近傍に設けられた組立用ジョイント金物の状態を示す斜視図である。
【図３】本発明の実施形態における、水平板に設けられる組立用ジョイントピンの状態を示す斜視図である。
【図４】本発明の実施形態における、第1の垂直板と第２の垂直板が収納箱の水平板で区画された上下の区画に挿入される状態を示す斜視図である。
【図５】本発明の実施形態における、挿入された第1の垂直板と第２の垂直板を左方に移動させて、第1の垂直板と第２の垂直板に形成された組立用ジョイント金物を組立用ジョイントピンに挿入する状態を示す正面図である。
【図６】本発明の実施形態における、ドライバー等の工具を用いて第1の垂直板の上端部をＬ型部品と固定具により収納箱の天板に固定する状態を示す正面図である。
【図７】本発明の実施形態における、４等分に区画された収納空所５０に引出し自在にスライド棚４７を取付けた状態を示す斜視図である。
【図８】従来の、（ａ）は、収納箱１５の上下方向に設けられた区画板（水平板）間に取付けられる仕切板（垂直板）の取付状態を示す正面図、（ｂ）は図８（ａ）のＢ詳細図である。
【符号の説明】
【００３３】
２１  収納箱
２２  仕切板
２３  天板
２４  底板
２５  側板
２６  水平板
２６ａ  側辺
２６ｂ  上面
２６ｃ  下面
２６ｄ  端部
２６ｅ  端部
２７  垂直板
２８  組立用ジョイント金物
２９  組立用ジョイントピン
３０  第1の垂直板
３０ａ  上端部
３１  第２の垂直板
３３  Ｌ型部品
３４  固定具
３６  中央領域
３７  作業用開口
【図１】
0004508070.tif 000002
【図２】
0004508070.tif 000003
【図３】
0004508070.tif 000004
【図４】
0004508070.tif 000005
【図５】
0004508070.tif 000006
【図６】
0004508070.tif 000007
【図７】
0004508070.tif 000008
【図８】
0004508070.tif 000009